(57)【要約】【課題】引き出し式収納容器を冷蔵庫本体から引き出す最初の段階において、低出力の開扉補助手段によっても、効率的に引き出し負荷を低減することができる冷蔵庫用引き出し装置を提供する。【解決手段】引き出し式収納容器または冷蔵庫本体に低出力の開扉補助手段を配置し、かかる開扉補助手段で引き出し式収納容器の扉部背面の四隅のいずれか一箇所または左右端部のいずれか一方を開方向に押動することにより、引き出し式収納容器と冷蔵庫本体との間に設けられた遊びを利用して扉部を引き出し方向に対して僅かに傾かせ、シール部材をその端部から引き剥がす。【選択図】図１
2015190692.tif 000002
【特許請求の範囲】
【請求項１】
扉部を有する引き出し式収納容器と、
前記引き出し式収納容器を冷蔵庫本体から引き出す際に、前記扉部を開方向に押動する開扉補助手段と、を備える冷蔵庫用引き出し装置であって、
閉状態の前記引き出し式収納容器は、前記扉部背面の外周縁がシール部材により前記冷蔵庫本体に吸着固定され、
前記開扉補助手段は、前記引き出し式収納容器または前記冷蔵庫本体に配置され、前記扉部背面の四隅のいずれか一箇所または左右端部のいずれか一方を前記開方向に押動することを特徴とする冷蔵庫用引き出し装置。
【請求項２】
前記開扉補助手段は、弾性体の付勢力により駆動することを特徴とする請求項１に記載の冷蔵庫用引き出し装置。
【請求項３】
前記開扉補助手段は、閉状態の前記引き出し式収納容器の前記扉部背面または前記冷蔵庫本体と回動軌跡が重なる回動体である開扉レバーを有し、該開扉レバーが前記引き出し式収納容器または前記冷蔵庫本体の被当接部に当接することにより前記扉部を開方向に押動し、
前記引き出し式収納容器を前記冷蔵庫本体から引き出す際には、前記開扉レバーの回動中心側が回動先端側よりも先に前記被当接部に当接することを特徴とする請求項１または請求項２に記載の冷蔵庫用引き出し装置。
【請求項４】
前記開扉補助手段は、前記弾性体の伸縮運動と前記開扉レバーの回動運動とを相互に変換する螺旋状の係合面を有する一対の傾斜カム部材を有し、
前記一対の傾斜カム部材は、前記弾性体の一端に固定されて前記弾性体の伸縮により直線方向に移動する弾性体側カム部材と、前記開扉レバーの回動中心部に固定されて前記開扉レバーと一体に回動する開扉レバー側カム部材と、を有することを特徴とする請求項２または請求項３に記載の冷蔵庫用引き出し装置。
【請求項５】
前記引き出し式収納容器が閉状態のときの前記開扉レバーの回動位置における、前記弾性体側カム部材と前記開扉レバー側カム部材との対向面にはそれぞれ、前記螺旋状の係合面の傾斜方向とは逆の方向に傾斜するロックカムが形成されることを特徴とする請求項４に記載の冷蔵庫用引き出し装置。
【請求項６】
前記開扉レバーは、回動中心を略同一として軸方向に重ねられた第一の開扉レバーおよび第二の開扉レバーを有し、
前記開扉レバー側カム部材は前記第一の開扉レバーの回動中心部に固定され、
前記第一の開扉レバーと前記第二の開扉レバーは、前記第一の開扉レバーに形成された前記第二の開扉レバー側に突出する凸部が、前記第二の開扉レバーに形成された略三角形の係合穴に遊嵌係合されることにより、回動方向に一定の角度差をもって相互に連れ回って回動し、
前記引き出し式収納容器を前記冷蔵庫本体から引き出す際には、前記第一の開扉レバーが前記第二の開扉レバーよりも先に前記被当接部に当接し、前記引き出し式収納容器を前記冷蔵庫本体に収容する際には、前記第二の開扉レバーが前記第一の開扉レバーよりも先に前記被当接部に当接することを特徴とする請求項３から請求項５のいずれか一項に記載の冷蔵庫用引き出し装置。
【請求項７】
前記第二の開扉レバーは、長円形の軸穴を有することにより、該軸穴の長手方向に移動可能とされ、前記略三角形の係合穴は、該軸穴の長手方向に頂点のうちの一つが配置され、
前記引き出し式収納容器を前記冷蔵庫本体に収容する際には、前記第二の開扉レバーが、前記被当接部との当接により前記被当接部の反対側方向へ移動するとともに、前記第一の開扉レバーの前記凸部が、前記第二の開扉レバーの前記略三角形の係合穴の頂点に係合されることにより、前記第二の開扉レバーと前記第一の開扉レバーとが回動方向に角度差を生ずることなく一体に回動することを特徴とする請求項６に記載の冷蔵庫用引き出し装置。
【請求項８】
前記引き出し式収納容器または前記冷蔵庫本体には、前記開扉補助手段による前記扉部背面の押動を開始させるトリガー手段が備えられることを特徴とする請求項１から請求項７のいずれか一項に記載の冷蔵庫用引き出し装置。
【発明の詳細な説明】
【技術分野】
【０００１】
本発明は冷蔵庫用引き出し装置に関し、さらに詳しくは、引き出し式収納容器の開扉補助手段を備える冷蔵庫用引き出し装置に関する。
【背景技術】
【０００２】
下記特許文献１には、冷蔵庫の引き出し扉の扉駆動装置が開示されている。特許文献１は、引き出し扉を冷蔵庫から開放する最初の段階においては、収納された食品の重量の他にマグネットパッキンの吸着力とクローザ機構の引っ張り力とが作用するため、特に大きな力（第一の力）が必要になるという背景のもと、従来の引き出し扉の解放装置では、収納された食品の重量の違いにより引き出し扉の開き量に差が生じることを課題としている。
【０００３】
特許文献１は、かかる課題の解決手段として、引き出し式の扉を備える野菜室６に扉駆動装置５００を備えた実施形態を示している。扉駆動装置５００は、モータ２４の回転が１／１００程度に減速されて伝達される駆動伝達部材６４０と、駆動伝達部材６４０の駆動力を受けて野菜室６を開閉方向へ移動させる連結部材７００と、から構成される。連結部材７００は、補強部材４１０を介して左右の扉枠４００を野菜室６の引き出し方向に対して平行に移動させることにより野菜室６を開閉する（特許文献１の図２、図４参照）。
【先行技術文献】
【特許文献】
【０００４】
【特許文献１】特開２００９−０６３２１７号公報
【発明の概要】
【発明が解決しようとする課題】
【０００５】
特許文献１の扉駆動装置５００は、野菜室６を引き出す際に、左右の扉枠４００を野菜室６の引き出し方向と平行に押し出す機構となっている。このような機構により野菜室６を押し出す場合、マグネットパッキンの全周を同時に引き剥がさなければならないため、相応の力が必要となる。そのため、モータや減速ギヤを用いた高出力の押動手段、およびそれらの制御手段等が必要となり、機構の複雑化やコスト増を招くこととなる。
【０００６】
上記問題に鑑み、本発明が解決しようとする課題は、引き出し式収納容器を冷蔵庫本体から引き出す最初の段階において、低出力の開扉補助手段によっても、効率的に引き出し負荷を低減することができる冷蔵庫用引き出し装置を提供することを課題とする。
【課題を解決するための手段】
【０００７】
上記課題を解決するため、本発明の冷蔵庫用引き出し装置は、扉部を有する引き出し式収納容器と、前記引き出し式収納容器を冷蔵庫本体から引き出す際に、前記扉部を開方向に押動する開扉補助手段と、を備える冷蔵庫用引き出し装置であって、閉状態の前記引き出し式収納容器は、前記扉部背面の外周縁がシール部材により前記冷蔵庫本体に吸着固定され、前記開扉補助手段は、前記引き出し式収納容器または前記冷蔵庫本体に配置され、前記扉部背面の四隅のいずれか一箇所または左右端部のいずれか一方を前記開方向に押動することを要旨とする。
【０００８】
引き出し式収納容器を引き出す際に、その扉部背面の中心から偏った位置を開方向に押すことにより、引き出し式収納容器と冷蔵庫本体との間に設けられた遊びで扉部が引き出し方向に対して僅かに傾き、マグネットパッキンなどのシール部材の端部の一部が引き剥がされる。シール部材の全周を同時に引き剥がす場合に比べ、その端部のみを引き剥がすために必要となる力は小さくて良いため、本発明の開扉補助手段には、低出力で小型のモータやソレノイドなどを用いたアクチュエータや、バネやゴムなどの弾性体を用いた簡易な押動機構を使用することができ、コスト削減や機構の簡略化に資することができる。
【０００９】
開扉補助手段が扉部背面を押す位置としては、隅部以外の上下端部よりも、四隅のいずれか一箇所または左右端部のいずれか一方が好適である。引き出し式収納容器に収納された食品の重量により、引き出し式収納容器の上下方向の傾きは制限されているためである。
【００１０】
開扉補助手段によりシール部材の端部が引き剥がされることにより、シール部材の他の部分についても連鎖的に小さな力で引き剥がすことができ、効率的に引き出し負荷を低減することができる。
【００１１】
また、開扉補助手段の動力にバネやゴムなどの弾性体の付勢力を用いた場合、開扉補助手段の駆動に電力を必要としないことから、冷蔵庫内における電線の配策が簡略化されるとともに、開扉補助手段を引き出し式収納容器側に配置することが容易となり、設計の柔軟性が向上する。また、工程検査における動作確認や部品交換などのメンテナンスも容易となる。
【００１２】
また、前記開扉補助手段が、閉状態の前記引き出し式収納容器の前記扉部背面または前記冷蔵庫本体と回動軌跡が重なる回動体である開扉レバーを有し、該開扉レバーが前記引き出し式収納容器または前記冷蔵庫本体の被当接部に当接することにより前記扉部を開方向に押動し、前記引き出し式収納容器を前記冷蔵庫本体から引き出す際には、前記開扉レバーの回動中心側が回動先端側よりも先に前記被当接部に当接する機構としても良い。
【００１３】
上記開扉レバーによれば、引き出し式収納容器を引き出す際に、支点と作用点との距離が短く高いトルクを発揮する回動中心側がシール部材の端部を引き剥がし、引き出し負荷が低減された後に回動半径の長い回動先端側が引き出し式収納容器をより遠くまで押し出すことができ、開扉補助手段の動力を効率的に用いることが可能となる。
【００１４】
また、前記開扉補助手段は、前記弾性体の伸縮運動と前記開扉レバーの回動運動とを相互に変換する螺旋状の係合面を有する一対の傾斜カム部材を有し、前記一対の傾斜カム部材は、前記弾性体の一端に固定されて前記弾性体の伸縮により直線方向に移動する弾性体側カム部材と、前記開扉レバーの回動中心部に固定されて前記開扉レバーと一体に回動する開扉レバー側カム部材と、を有する構成としても良い。
【００１５】
上記構成とすることにより、簡易な機構でバネやゴムなどの弾性体の付勢力を開扉レバーの回動運動に変換することができる。尚、かかる弾性体の付勢力は、引き出し式収納容器を冷蔵庫本体に収容する際の開扉レバーの回動運動を変換することにより蓄積することが好ましい。
【００１６】
また、前記引き出し式収納容器が閉状態のときの前記開扉レバーの回動位置における、前記弾性体側カム部材と前記開扉レバー側カム部材との対向面にはそれぞれ、前記螺旋状の係合面の傾斜方向とは逆の方向に傾斜するロックカムが形成されることが好ましい。
【００１７】
ロックカムを形成することにより、バネやゴムなどの弾性体に蓄積された付勢力を、引き出し式収納容器の開方向に作用させることなく維持することが可能となる。
【００１８】
また、前記開扉レバーは、回動中心を略同一として軸方向に重ねられた第一の開扉レバーおよび第二の開扉レバーを有し、前記開扉レバー側カム部材は前記第一の開扉レバーの回動中心部に固定され、前記第一の開扉レバーと前記第二の開扉レバーは、前記第一の開扉レバーに形成された前記第二の開扉レバー側に突出する凸部が、前記第二の開扉レバーに形成された略三角形の係合穴に遊嵌係合されることにより、回動方向に一定の角度差をもって相互に連れ回って回動し、前記引き出し式収納容器を前記冷蔵庫本体から引き出す際には、前記第一の開扉レバーが前記第二の開扉レバーよりも先に前記被当接部に当接し、前記引き出し式収納容器を前記冷蔵庫本体に収容する際には、前記第二の開扉レバーが前記第一の開扉レバーよりも先に前記被当接部に当接する構成としても良い。
【００１９】
その場合、前記第二の開扉レバーは、長円形の軸穴を有することにより、該軸穴の長手方向に移動可能とされ、前記略三角形の係合穴は、該軸穴の長手方向に頂点のうちの一つが配置され、前記引き出し式収納容器を前記冷蔵庫本体に収納する際には、前記第二の開扉レバーが、前記被当接部との当接により前記被当接部の反対側方向へ移動するとともに、前記第一の開扉レバーの前記凸部が、前記第二の開扉レバーの前記略三角形の係合穴の頂点に係合されることにより、前記第二の開扉レバーと前記第一の開扉レバーとが回動方向に角度差を生ずることなく一体に回動する構成とすることが好ましい。
【００２０】
上記構成とすることにより、高トルクの第一の開扉レバーが被当接部にあたる範囲を最小化することができ、第一の開扉レバーが引き出し式収納容器を冷蔵庫本体へ収容する際の妨げとなることが回避され、また、動力にバネやゴムなどの弾性体を用いた場合には、弾性体の付勢力を小さな力で効率的に蓄積することができる。
【００２１】
また、前記引き出し式収納容器または前記冷蔵庫本体には、前記開扉補助手段による前記扉部背面の押動を開始させるトリガー手段が備えられることが好ましい。
【００２２】
トリガー手段としては、開扉補助手段がモータやソレノイドなどを用いたアクチュエータの場合は、冷蔵庫本体に始動ボタンを設ける方法などが考えられ、開扉補助手段がバネやゴムなどを用いた機構の場合は、引き出し式収納容器の扉部正面の取手部に設けられたレバーによりワイヤを引き、開扉補助手段のロックカムによる係合を螺旋状の係合面による係合に切り替える方法などが考えられる。
【発明の効果】
【００２３】
本発明にかかる冷蔵庫用引き出し装置によれば、引き出し式収納容器を冷蔵庫本体から引き出す最初の段階において、低出力の開扉補助手段によっても、効率的に引き出し負荷を低減することが可能となる。
【図面の簡単な説明】
【００２４】
【図１】本実施形態における冷蔵庫用引き出し装置を備える冷蔵庫１の斜視図である。
【図２】本実施形態における開扉補助手段の構造を示す説明図である。
【図３】開扉補助手段のロックカムの構造を示す説明図である。
【図４】引き出し式収納容器を引き出す際の開扉補助手段の動作を示す説明図である。
【図５】引き出し式収納容器を収容する際の開扉補助手段の動作を示す説明図である。
【発明を実施するための形態】
【００２５】
（全体構成）
以下、本発明の実施形態について図面を用いて詳細に説明する。図１は本実施形態における冷蔵庫用引き出し装置を構成する、引き出し式収納容器２と、開扉補助手段３と、を備える冷蔵庫１の斜視図である。なお、以下の説明における上下および左右とは、図１における上下および左右をいうものとする。
【００２６】
引き出し式収納容器２は冷蔵庫１の下段に設けられた収容室１１に収められ、収容室１１の左右の内壁面に備えられたスライドレール１２に摺動可能に支持される。スライドレール１２の奥行側の端部には、奥行方向に向かって下方に傾斜する図示されないテーパ部が形成されており、該テーパ部により閉状態の引き出し式収納容器２は自重で奥行方向に付勢される。
【００２７】
引き出し式収納容器２は扉部２１を備えており、閉状態の引き出し式収納容器２は、扉部２１背面の外周縁が図示しないシール部材であるマグネットパッキンにより収容室１１の開口部に吸着固定される。
【００２８】
開扉補助手段３は収容室１１の開口部右下に配置され、引き出し式収納容器２を引き出す際に、扉部２１の右下の隅部を開方向に押動する。
【００２９】
扉部２１の右下の隅部が押されることで、引き出し式収納容器２と収容室１１との間に設けられた遊びにより扉部２１が引き出し方向に対して僅かに傾き、マグネットパッキンの右下の端部が引き剥がされる。マグネットパッキンの全周を同時に引き剥がす場合に比べ、その端部のみを引き剥がすのに必要となる力は小さいため、開扉補助手段３には、圧縮コイルバネの付勢力を動力とした簡易な押動機構が用いられており、コスト削減や機構の簡略化が図られている。
【００３０】
また、開扉補助手段３が押動する扉部２１の位置は、必ずしも右下隅部でなくても良い、四隅のいずれか一箇所または左右端部のいずれか一方であれば上述の効果を得ることができる。
【００３１】
（開扉補助手段の構成）
次に図２、図３を用いて本実施形態における開扉補助手段３の構成について詳細に説明する。図２は本実施形態における開扉補助手段３の構造を示す説明図であり、図３は開扉補助手段３のロックカム３３１２、３３２２の説明図である。
【００３２】
開扉補助手段３は、弾性体である圧縮コイルバネ３１の付勢力を動力として駆動する。駆動に電力を必要としないことから、冷蔵庫１内における電線の配策の簡略化されている。また、本実施形態においては開扉補助手段３が収容室１１に配置されているが、開扉補助手段３には電線を接続する必要がないことから、引き出し式収納容器２側に配置することも可能である。さらに、工程検査における動作確認や部品交換などのメンテナンスについても、モータやソレノイドを用いた機構に比べ容易となっている。
【００３３】
開扉補助手段３は、閉状態の扉部２１に回動軌跡が重なる開扉レバー３２を備え、圧縮コイルバネ３１の伸縮運動と開扉レバー３２の回動運動とを相互に変換する螺旋状の係合面３３１１、３３２１をそれぞれ有する一対の傾斜カム部材３３を有する。一対の傾斜カム部材３３は、圧縮コイルバネ３１の一端に固定されて圧縮コイルバネ３１の伸縮により直線方向に移動する弾性体側カム部材３３１と、開扉レバー３２の回動中心部に固定されて開扉レバー３２と一体に回動する開扉レバー側カム部材３３２と、からなる。
【００３４】
開扉レバー３２は、回動中心を略同一として軸方向に重ねられた第一の開扉レバー３２１および第二の開扉レバー３２２からなり、開扉レバー側カム部材３３２は第一の開扉レバー３２１の回動中心部に固定される。詳細は後述するが、第一の開扉レバー３２１と第二の開扉レバー３２２は回動方向に一定の角度差をもって相互に連れ回って回動する。
【００３５】
圧縮コイルバネ３１の付勢力は、引き出し式収納容器２を収容室１１に収容する際の開扉レバー３２の回動運動が変換されることにより蓄積される。図３に示すように、引き出し式収納容器２が閉状態のときの開扉レバー３２の回動位置における、弾性体側カム部材３３１と開扉レバー側カム部材３３２との対向面にはそれぞれ、螺旋状の係合面３３１１および３３２１の傾斜方向とは逆の方向に傾斜するロックカム３３１２および３３２２が形成されている。
【００３６】
ロックカム３３１２、３３２２が形成されていることにより、圧縮コイルバネ３１に蓄積された付勢力を、引き出し式収納容器２の開方向に作用させることなく維持することが可能とされている。
【００３７】
尚、図２、図３においては、開扉補助手段３の内部構造を示すために透過させているが、圧縮コイルバネ３１と一対の傾斜カム部材３３は蓋部を有する筒状のケース３４に収容されている。
【００３８】
（開扉補助手段３の動作）
次に図４、図５を用いて開扉補助手段３の動作について説明する。図４、図５においては第二の開扉レバー３２２を透過させており、図面視手前側が第二の開扉レバー３２２、図面視奥側が第一の開扉レバー３２１となっている。
【００３９】
まず、図４を用いて、引き出し式収納容器２を収容室１１から引き出す際の開扉補助手段３の動作について詳細に説明する。第一の開扉レバー３２１と第二の開扉レバー３２２は、第一の開扉レバー３２１に形成され第二の開扉レバー３２２側に突出する凸部３２１１が、第二の開扉レバー３２２に形成された略三角形の係合穴３２２１に遊嵌係合されることにより、回動方向に一定の角度差をもって相互に連れ回って回動する構成となっている（図４（ａ）参照）。
【００４０】
引き出し式収納容器２の扉部２１正面の取手部２２（図１参照）に設けられた図示しないレバーが引かれることにより、図示しないワイヤにより第一の開扉レバー３２１が牽引され、一対の傾斜カム部材３３のロックカム３３１２および３３２２による係合が、螺旋状の係合面３３１１および３３２１による係合に切り替えられる。そして、圧縮コイルバネ３１の付勢力により弾性体側カム部材３３１が下方へ直線移動し、弾性体側カム３３２を回動させる。弾性体側カム３３２の回動に連動して第一の開扉レバー３２１が回動し、扉部２１に当接する（図４（ｂ）参照）。尚、詳細な機構は後述するが、ここで第二の開扉レバー３２２は、凸部３２１１と略三角形の係合穴３２２１の係合により、長円形の軸穴の長手方向、この場合においては回動先端側に移動している。
【００４１】
第一の開扉レバー３２１と第二の開扉レバー３２２は、略三角形の係合穴３２２１の遊びにより回動方向に一定の角度差をもって回動するため、引き出し式収納容器２を収容室１１から引き出す最初の段階、つまりマグネットパッキンの右下端部を引き剥がす段階においては、第一の開扉レバー３２１が扉部２１の押動を行う。
【００４２】
引き出し式収納容器２を収容室１１から引き出す最初の段階は、収納された食品の重量による抵抗に加え、マグネットパッキンの吸引力や、テーパ部による奥行方向への付勢力が作用しているため、比較的大きな力が必要とされる。その最初の段階において、支点と作用点との距離が短く高いトルクを発揮する第一の開扉レバー３２１を用いることにより、効率的にマグネットパッキンの端部を引き剥がすことが可能となる（図４（ｃ）参照）。
【００４３】
マグネットパッキンの右下端部が引き剥がされ、負荷が低減された後は、マグネットパッキンの他の部分についても連鎖的に小さな力で引き剥がすことができるため、回動半径の長い第二の開扉レバー３２２が扉部２１を押動し、引き出し式収納容器２をより遠くまで押し出す（図４（ｄ）参照）。
【００４４】
次に、図５を用いて、引き出し式収納容器２を収容室１１に収容する際の開扉補助手段３の動作について詳細に説明する。図５（ａ）に示すように、第二の開扉レバー３２２は長円形の軸穴３２２２を有することにより、軸穴３２２２の長手方向に移動可能とされ、略三角形の係合穴３２２１は、軸穴３２２２の長手方向に頂点のうちの一つを有する。図５（ａ）における略三角形の係合穴３２２１の頂点のうち、扉部２１側に配置された頂点が、軸穴３２２２の長手方向の頂点である。
【００４５】
収納方向へ移動する扉部２１に当接した第二の開扉レバー３２２は当接部の反対側方向へと移動するとともに、凸部３２１１が、略三角形の係合穴３２２１の扉部２１側に配置された頂点に係合される（図５（ｂ）参照）。
【００４６】
凸部３２１１が、略三角形の係合穴３２２１の頂点に係合されることにより、第二の開扉レバー３２２と第一の開扉レバー３２１は回動方向に角度差を生ずることなく一体に回動する（図５（ｃ）参照）。
【００４７】
扉部２１が閉状態となるまで収納されると、一対の傾斜カム部材３３の螺旋状の係合面３３１１および３３２１による係合が、ロックカム３３１２および３３２２による係合に切り替えられ、開扉レバー３２の回動は終了する（図５（ｄ）参照）。
【００４８】
上記構成により、引き出し式収納容器２の収容時において、高トルクの第一の開扉レバー３２１が扉部２１にあたる範囲を最小化することができ、第一の開扉レバー３２１が引き出し式収納容器２を収容室１１へ収容する妨げとなることが避けられ、また、圧縮コイルバネ３１の付勢力を小さな力で効率的に蓄積することが可能とされている。
【００４９】
尚、本実施形態においては、引き出し式収納容器２を収容室１１から引き出す最初の段階において、高いトルクを発揮する開扉レバー３２の回動中心側で扉部２１を押動するのみならず、引き出し式収納容器２の収容時には、極力、開扉レバー３２の回動先端側を扉部２１に当接させることにより、収容時の負荷低減を図っている。しかし、引き出し式収納容器２の収容時における開扉レバー３２の負荷は、引き出し式収納容器２に収納された食品の重量が乗じた慣性力や、マグネットパッキンの吸引力、テーパ部による奥行方向への付勢力により軽減される。よって、開扉補助手段３を、引き出し式収納容器２開放時の効果に特化することにより、機構をさらに簡易化することも可能である。具体的には、開扉レバー３２を一枚の板部材にして、その板部材の回動先端側を、開動作時の回動方向の反対側に屈曲または湾曲させた構成や、テーパを設けた構成が考えられる。
【００５０】
以上、本発明の実施の形態について詳細に説明したが、本発明は上記実施の形態に何ら限定されるものではなく、本発明の要旨を逸脱しない範囲で種々の改変が可能である。
【符号の説明】
【００５１】
１  冷蔵庫
１１  収容室
１２  スライドレール
２  引き出し式収納容器
２１  扉部
３  開扉補助手段
３１  圧縮コイルバネ
３２  開扉レバー
３２１  第一の開扉レバー
３２１１  凸部
３２２  第二の開扉レバー
３２２１  略三角形の係合穴
３２２２  軸穴
３３  一対の傾斜カム部材
３３１  弾性体側カム部材
３３２  開扉レバー側カム部材
３３１１、３３２１  螺旋状の係合面
３３１２、３３２２  ロックカム
３４  ケース
【図１】
2015190692.tif 000003
【図２】
2015190692.tif 000004
【図３】
2015190692.tif 000005
【図４】
2015190692.tif 000006
【図５】
2015190692.tif 000007